(57)【要約】【課題】被選択プログラムを記録するための装置（１６）は、復号化器（３２）、記録器（３４）及びユーザインタフェース（３６）を有する。【解決手段】ユーザインタフェース（３６）は、ユーザがプログラムを選択することを可能にする。復号化器（３２）は、被選択プログラムに関連する開始データパケット、コンテンツデータパケット及び終了データパケットを有するデータストリームを受信する。復号化器（３２）は、被選択プログラムに関連する開始データパケットを検出し、記録器（３４）の記録を開始させる。コンテンツデータパケットは、復号化器（３２）が被選択プログラムに関連する終了データパケットを検出し、記録器（３４）を停止させるまで、記録される。【選択図】図１
2010283891.tif 000002
【特許請求の範囲】
【請求項１】
被選択プログラムを記録する機器であって：
ａ）前記被選択プログラムを選択する手段；
ｂ）全体の前記被選択プログラムについてのデータストリーム、１つの開始データパケット及び１つの終了データパケットを受信する手段；
ｃ）前記被選択プログラムについての前記開始データパケット及び前記被選択プログラムについての前記終了データパケットを検出する手段；並びに
ｄ）前記被選択プログラムを記録する手段であって、前記被選択プログラムについての前記開始データパケットの前記検出に対応して開始され、前記被選択プログラムについての前記終了データパケットの前記検出に対応して終了される、手段；
を有する機器であり、
前記データストリームは１つ又はそれ以上のプログラム及びプライベートストリームを有し、各々のプログラムは前記データストリームにおいて複数のコンテンツデータパケットにより表され、前記プラーベートストリームは、前記被選択プログラムについての前記開始データパケット及び前記終了データパケット、並びに、各々の付加プログラムについての開始データパケット及び終了データパケットを有し；
前記開始データパケットは、各々のプログラムについての前記データストリームにおいて関連コンテンツデータパケットに先行し、前記終了データパケットは、各々のプログラムについての前記データストリームにおいて前記関連コンテンツデータパケットに後続し、先行プログラムについての終了データパケット及び後続プログラムについての開始データパケットは共通データパケットにおいて結合される；
機器。
【請求項２】
請求項１に記載の機器であって、前記データストリームは１つ又はそれ以上のプログラムを有し、各々のプログラムは前記データストリームにおいて複数のコンテンツデータパケットにより表され、前記開始データパケット及び前記終了データパケットはプライベートストリームにあり、前記プライベートストリームも、個別の複数の付加プログラム又は複数のプログラムセグメントに関連する開始データパケット及び終了データパケットを有する、機器。
【請求項３】
請求項２に記載の機器であって、前記プライベートストリームにおける関連する前記開始データパケットは、各々のプログラムについての前記データストリームにおいて前記関連コンテンツデータパケットの前に供給され、前記プライベートストリームにおける関連する前記終了データパケットは、各々のプログラムについての前記データストリームにおいて前記関連コンテンツデータパケットの後に供給される、機器。
【請求項４】
請求項３に記載の機器であって、先行するプログラムの各々の終了データパケット及び後続するプログラムに関連する前記開始データパケットは共通データパケットにおいて結合される、機器。
【請求項５】
請求項１に記載の機器であって、前記開始データパケット及び前記終了データパケットは前記被選択プログラムを識別する情報を有する、機器。
【請求項６】
請求項１に記載の機器であって、前記データストリームは複数のプログラムを有し、各々のプログラムはサブチャネルに関連し、前記開始データパケット及び前記終了データパケットは、前記被選択プログラムに関連するサブチャネル及び前記被選択プログラムを識別する情報を有する、機器。
【請求項７】
請求項１に記載の機器であって、前記データストリームは第１チャネルに関連し、前記開始データパケット及び前記終了データパケットはプライベートストリーム及び第２チャネルに関連し、前記開始データパケット及び前記終了データパケットは前記被選択プログラムに関連するチャネル及び前記被選択プログラムを識別する情報を有する、機器。
【請求項８】
請求項１に記載の機器であって、前記データストリームはディジタルデータストリームであり、１つ又はそれ以上のプログラムを有し、前記データストリームにおける各々のプログラムは複数のディジタルコンテンツデータパケットにより表され、前記被選択プログラムを記録する前記手段は前記複数のディジタルコンテンツデータパケットを記録するディジタル記録器を有する、機器。
【請求項９】
映像記録装置により被選択プログラミングを記録する方法であって：
ａ）前記被選択プログラミングに関連するデータストリームを受信する段階；
ｂ）全体の前記被選択プログラミングについての１つの開始データパケットを受信し、検出する段階；
ｃ）前記開始データパケットの前記検出に対応して、前記映像記録装置による前記記録を開始する段階；
ｄ）前記被選択プログラミングを受信し、記録する段階；
ｅ）前記被選択プログラミングについての終了データパケットを受信し、記録する段階；
ｆ）前記終了データパケットの前記検出に対応して前記被選択プログラミングの前記記録を停止する段階；
ｇ）前記データストリームを生成するように１つ又はそれ以上のプログラム及びプライベートストリームを結合する段階であって、各々のプログラムは前記データストリームにおいて複数のコンテンツデータパケットにより表され、前記プラーベートストリームは各々のプログラムについての開始データパケット及び終了データパケットを有し、前記映像記録装置を有する消費者環境に対して前記データストリームを供給する、段階；
を有する、方法であり、
前記開始データパケットは、各々のプログラムについての前記データストリームにおいて関連コンテンツデータパケットに先行し、前記終了データパケットは、各々のプログラムについての前記データストリームにおいて前記関連コンテンツデータパケットに後続し、後続プログラムについての各々の開始データパケット及び終了データパケットは共通データパケットにおいて結合される；
方法。
【請求項１０】
請求項９に記載の方法であって、前記データストリームはディジタルデータストリームであり、前記被選択プログラミングを有する１つ又はそれ以上のグログラムを有し、前記データストリームにおける各々のプログラムはディジタルコンテンツデータパケットにより表される、方法。
【請求項１１】
請求項９に記載の方法であって、前記段階ａ）は：
前記データストリームを生成するように１つ又はそれ以上のプログラムを結合する段階であって、各々のプログラムは前記データストリームにおいて複数のコンテンツデータパケットにより表される、段階；
プライベートストリームを生成するように各々のプログラムに関連する開始データパケット及び終了データパケットを結合する段階；並びに
前記映像記録装置を有する消費者環境に対して前記データストリーム及び前記プライベートストリームを供給する段階；
を更に有する方法。
【請求項１２】
請求項１１に記載の方法であって、前記プライベートストリームにおける前記関連開始データパケットは、各々のプログラムについての前記データストリームにおいて前記関連コンテンツデータパケットの前に提供され、前記プライベートストリームにおける前記関連終了データパケットは、各々のプログラムについての前記データストリームにおいて前記関連コンテンツデータパケットの後に提供される、方法。
【請求項１３】
請求項１２に記載の方法であって、先行プログラムの各々の終了データパケット及び後続プログラムに関連する開始データパケットは共通データパケットにおいて結合される、方法。
【請求項１４】
請求項９に記載の方法であって、前記開始データパケット及び前記終了データパケットは前記被選択プログラミングを識別する情報を有する、方法。
【請求項１５】
請求項９に記載の方法であって、前記データストリームは：
各々のプログラムがサブチャネルに関連する、複数のプログラム；
を有する方法であり、
前記開始データパケット及び前記終了データパケットは、前記被選択プログラミングに関連するサブチャネル及び前記被選択プログラミングを識別する情報を有する；
方法。
【請求項１６】
請求項９に記載の方法であって、前記データストリームは第１チャネルに関連し、前記開始データパケット及び前記終了データパケットはプライベートストリーム及び第２チャネルに関連し、前記開始データパケット及び前記終了データパケットは、前記被選択プログラミングに関連するチャネル及び前記被選択プログラミングを識別する情報を有する、方法。
【請求項１７】
被選択プログラミングを記録する方法であって：
ａ）データストリームを生成するように１つ又はそれ以上のプログラムを結合する段階であって、前記１つ又はそれ以上のプログラムは前記被選択プログラミングを有し、各々のプログラムは前記データストリームにおいて複数のコンテンツデータパケットにより表される、段階；
ｂ）プライベートストリームを生成するように各々の全体のプログラムについて１つの開始データパケット及び１つの終了データパケットを結合する段階；並びに
ｃ）映像記録装置を有する消費者環境に対して前記データストリーム及び前記プライベートストリームを供給する段階；
を有する、方法であり、
前記データストリームは第１チャネルに関連し、前記開始データパケット及び前記終了データパケットはプライベートストリーム及び第２チャネルについてのものであり、前記開始データパケット及び前記終了データパケットは被選択プログラムを識別する情報及び前記被選択プログラムに関連するチャネルを有する；
方法。
【請求項１８】
請求項１７に記載の方法であって：
前記被選択プログラミングに関連する前記データストリームを受信する段階；
前記被選択プログラミングに関連する前記開始データパケットを受信し、検出する段階；
前記開始データパケットの前記検出に対応して前記映像記録装置による記録を開始する段階；
前記被選択プログラミングを受信して記録する段階；
前記被選択プログラミングに関連する終了データパケットを受信し、検出する段階；及び
前記終了データパケットの前記検出に対応して前記被選択プログラミングの前記記録を停止する段階；
を更に有する、方法。
【請求項１９】
請求項１８に記載の方法であって、前記データストリームはディジタルデータストリームであり、前記データストリームにおける各々のプログラムは複数のディジタルコンテンツデータパケットにより表される、方法。
【発明の詳細な説明】
【技術分野】
【０００１】
本発明は、映像記録の分野に関する。本発明は、特に、記録されるプログラムに関連するプライベートストリームにおけるデータパケットの検出により記録されるプログラムのための映像記録器を制御することに関連するアプリケーションに関する。しかしながら、本発明は又、他のアプリケーションに従うことが可能であることが理解される必要がある。
【背景技術】
【０００２】
多くのテレビジョン（ＴＶ）の視聴者は、テレビ視聴経験をエンハンスするためにＴＶを視聴する機会を選択し、スケジューリングし、記録することを好む。このようにするために、多くの視聴者は、特定の時間帯の間に利用可能であるプログラムを決定するためにペーパー又は電子プログラミングスケジュールを調べて、視聴するプログラムを選択することが可能である。他の視聴者は、好みのプログラムを見つけようとしてチャネルを切り換えるが、その成功の度合いは確定していない。
【０００３】
ＴＶチャネル及びＴＶプログラムの数は増加し続けており、視聴者が彼等の視聴機会を更にインテリジェントに選択し、スケジューリングし、記録することを可能にすることが益々重要になってきている。プログラムスケジューリング情報に電子的にアクセスするための既存技術には、特に、スケジューリング情報を予めダウンロードすること、及び、視聴者からのリクエストに応えて、視聴者に対して生の形のこのスケジューリング情報を提供することを含む。
【０００４】
ユーザが所定の日時にＴＶショーを記録するために彼のＶＣＲをプログラムしようとするときに、しばしば起こる問題は周知である。それらの問題を排除するために、ＶＰＳ（映像プログラムシステム）及びＶＰＴ（テレテキストによりプログラミングされたＶＣＲ）が導入された。それらのシステムはヨーロッパでは一般的に使用されている。ＶＰＴは、かつてはＶＰＶ（ＶＣＲがプログラミングされたビデオテキスト）として知られていた。
【０００５】
画像表示可能ＴＶ放送信号に補助的なＶＰＳ信号を付加することの当初の目的は、仮定のビデオカセットレコーダの使用を簡略化することであった。ＶＰＳの導入に先立ち、それらのＶＣＲはタイマーによりプログラミングされ、そのタイマーは、好みの対象のＴＶプログラムが放送に対してスケジューリングされる時間に従って、ＶＣＲを開始し、終了した。
【０００６】
ときどき、対象のプログラムは、例えば、前のＴＶプログラムの終了が遅くなったことのために、正確に記録されないことがあった。ＶＰＳ信号は、新しいプログラムの開始時間を正確に示すことにより、この問題点を克服することが意図された。
【０００７】
ＶＰＳプログラム識別符号は、ＴＶ放送信号の垂直帰線期間のデータラインにおいて４バイトを占める。ＶＰＳ信号の４バイトは、放送される特定のＴＶプログラムの、元々、スケジューリングされた開始の日時のような情報を有する。
【０００８】
更に都合よくＶＣＲのプログラミングを行うためには、ＶＰＴシステムが開発された。ＶＰＴは、テレテキストサービスのプログラムページからＶＣＲに必要な情報の自動転送を有する。ユーザは、テレテキストのプログラムページのデュレクトリを表示させ、所望のＴＶプログラムタイトルのところにカーソルを動かす。リモートコントロールにおいて適切なボタンを押すとき、必要なＶＰＳプログラム識別情報がＶＣＲに伝送される。
【０００９】
スケジューリングされた時間とＶＰＳ時間は必ずしも同一ではないことを述べておく必要がある。これは、特定のプログラムが規定時間を越えて実行され、続くプログラムが遅延される又はスケジュールが、そうではなく、変更されるときはいつでも、スケジューリングされた時間が更新されるためである。ＶＰＳ時間は、プログラム及び実際には最終的ではない放送時間に対して割り当てられているため、常に変更されないままの状態にある。
【００１０】
ＶＰＳ及びＶＰＴを使用することにより、そのような、開始時間及び終了時間、月日及びプログラムソース（チャネル）のようなデータにおいて手動でキー入力することによりもたらされるエラーによるか又は時間シフトされたＴＶプログラムによってもたらされる、所望のＴＶプログラムの不正確な記録は、それ故、著しく減少される。残念ながら、ＶＰＳ又はＶＰＴシステムが使用される場合でさえ、所望のＴＶプログラムの記録は、スタジオ側からもたらされるＶＰＴ又はＶＰＳエラーのために、尚も失敗し得る。ＴＶプログラムは、２週間前に前もって、ＶＰＴプログラムスケジュールページに発表される。そのようなページが不正確なＶＰＳデータを有し、ＶＣＲが不正確なデータによりプログラミングされている場合、その特定のＴＶプログラムの記録は、勿論、失敗する。通常、そのようなエラーは、不正確なデータが入力された後、いつか、それらのページのエディタにより知らされ、補正される。そのようなエラーが、エディタによりＶＰＴページにおいての後に補正される場合でさえ、従来のＶＣＲは、そのような補正に対してあらかじめプログラミングされたデータを適合させることができない。所望のＴＶプログラムの記録を妨げる、他のエラー源は、データライン１６への不正確なＶＰＳ符号の入力であり、又、放送局側でなされた失敗によりもたらされる。
【００１１】
Ｈｅｎｎｉｇによる米国特許第５，９５６，４５５号明細書においては、ＶＰＳプログラムスケジュール情報に対して、及び、現在、実行されているプログラムのための入力されているＶＰＳ時間符合に対して、予めプログラムされたＶＰＳデータを継続して比較する、ＶＰＳ及びＶＰＴの自動プログラミング能力を有するＶＣＲについて開示されている。このようにして、ＶＣＲにおけるＶＰＳ及びＶＰＴ制御器は、プログラミングされたオリジナルのスケジュールページにおけるエラーを検出することができ、そのＶＣＲ自体の記録プログラミングメモリにおけるそれらのエラーを補正することができる。更に、回路構成は、現在、実行されているＴＶショーのＶＰＳ符号におけるエラーを検出し、そのエラーを補正し、ショーを適切に記録することができる。
【００１２】
しかしながら、Ｈｅｎｎｉｇの特許に開示されている方法は、実質的に、オーバーヘッドを処理する必要がある。更に、ＶＣＲ記録に対するＨｅｎｎｉｇの方法の正確度は、ＶＣＲの開始及び停止が必要とされるとき、正確な時間におけるプログラムスケジューリング情報を継続的に更新することができない。それ故、記録器の開始及び停止に関して、更に正確である、映像記録を制御するための改善された方法及び機器に対する要請が存在している。
【先行技術文献】
【特許文献】
【００１３】
【特許文献１】米国特許第５，９５６，４５５号明細書
【発明の開示】
【課題を解決するための手段】
【００１４】
本発明の一実施形態においては、被選択プログラムを記録するための機器は、被選択プログラムを選択するための手段と、データストリーム、開始データパケット及び被選択プログラムに関連する開始データパケットを受信するための手段と、被選択プログラムに関連する開始データパケットが検出された後に被選択プログラムを記録するための手段と、被選択プログラムに関連する終了データパケットを検出するための手段と、被選択プログラムが終了した後に記録を停止するための手段とを有する。
【００１５】
本発明の他の実施形態においては、映像記録気を有する被選択プログラムを記録するための方法を提供している。被選択プログラムに関連するデータストリームが受信される。被選択プログラムに関連する開始データパケットが受信され、検出される。映像記録器を用いて被選択プログラムの記録が開始する。被選択プログラムに関連するコンテンツデータが受信される。被選択プログラムに関連する終了データパケットが受信され、検出される。映像記録器を用いる、被選択プログラムの記録が停止される。
【００１６】
本発明の１つの優位性は、被選択プログラムの映像記録が被選択プログラムの開始時又は終了時にいずれの部分を損失しないことである。
【００１７】
更なる優位性は、他のプログラムから又は広告からの記録の開始時又は終了時に、被選択プログラムの映像記録が素材を殆ど有しないか全く有しないことである。
【００１８】
他の優位性は、以下の詳細説明を読み、理解することにより、当業者には明確になるであろう。
【００１９】
添付図面は、本発明の例示としての実施形態を示すためのものであり、そのような実施形態に本発明を限定するように解釈されるべきではないものである。本発明は、種々の構成要素及び構成要素の構成における、及び、詳細説明に関連して及び図面において示されている段階及び段階の構成を包含する種々の段階及び段階の構成における形を取ることが可能であることが理解できる。図面においては、同様の参照番号は同様の要素を表し、類似する参照番号は類似する要素を表している。
【図面の簡単な説明】
【００２０】
【図１】本発明を組み込んだ通信環境の実施形態を示すブロック図である。
【図２】本発明を組み込んだ多重化プログラムストリームの実施形態を示す図である。
【発明を実施するための形態】
【００２１】
図１を参照するに、通信環境１０は、複数のプログラム／サービスプロバイダサブシステム１２、伝送サブシステム１４及び複数の消費者環境１６を有する。一般に、各々のプログラム／サービスプロバイダサブシステム１２は、複数の通信チャネルによるプログラムへのアクセスを複数の消費者環境１６に提供する。それらのプログラムは、テレビジョン及び類似する種類の映像ディスプレイ装置に適合する。典型的には、消費者環境は、一戸建ての家又はアパートメントであるが、本発明は、乗り物、事務所、ビジネスを含むあらゆる種類の消費者環境に等しく適用することができる。本発明を実行することが可能であるビジネス環境の例は、消費者にビデオレコーダを販売するビジネスである。
【００２２】
図１に示す各々のプログラム／サービスプロバイダサブシステム１２は、プログラムを識別するヘッダを有する一連のパケットの方式の１つ又はそれ以上のディジタルプログラム１８を有する。このプログラム／サービスプロバイダサブシステム１２は、本発明の特徴を具現化した１つの通信チャネルを示している。プログラム１８は、映画、ニュース、ドキュメンタリ、ホームドラマ、スポーツイベント等を含む種々の種類であることが可能である。プログラム１８は又、いずれの持続時間であることが可能であり、種々の時間に開始し、終了することが可能である。プライベートストリーム２０は１つ又はそれ以上のプログラムに関連するデータパケットを有する。多重化プログラムストリーム２２は、多重か方式のプライベートストリーム２０と１つ又はそれ以上のプログラム１８とを結合することにより通信チャネルを形成する。複数のプログラム１８が多重化プログラムストリーム２２に同時に供給される場合、チャネルは各々の多重化プログラムについてのサブチャネルを有する。実際には、代表的なプログラム／サービスプロバイダサブシステム１２は複数のチャネルを有する。付加チャネルは示されているチャネルと類似していることが可能であるが、プログラム／サービスプロバイダサブシステム１２は又、類似していない他のチャネルを有することが可能である。プログラム１８、プライベートシステム２０及び多重化プログラムストリーム２２は、共通のプログラム／サービスプロバイダにより供給されることが可能である。しかしながら、プログラム１８及びプラーベートサービス２０は又、１つ又はそれ以上の第３パーティにより提供されることが可能である。
【００２３】
伝送サブシステム１４は、少なくとも、ケーブル２４、人工衛星２６、地上波２８及び電話回線３０を有する。ケーブル伝送方法２４は、主に、ケーブルテレビジョンサービスプロバイダに関連する。人工衛星伝送方法２６は、主に、人工衛星テレビジョン及び人工衛星電話サービスプロバイダに関連する。地上波伝送方法２８は、主に、地上波放送局及び携帯電話サービスプロバイダに関連する。電話トランスポート方法３０は、主に、住宅／商用電話サービスプロバイダに関連し、光伝送ライン又は電送ラインを有することが可能である。
【００２４】
各々の消費者環境１６は、復号化器３２、記録器３４及びユーザインタフェース３６を有する。それらのモジュールは種々の構成にパッケージ化されることが可能である。例えば、それらのモジュールの全ては、テレビジョン（ＴＶ）又はセットトップボックス内にパッケージ化されることが可能である。代替として、復号化器３２はセットトップボックス内にパッケージ化されることが可能であり、記録器３４は個別にパッケージ化されることが可能である。ユーザインタフェース３６は、典型的には、動作可能であるように記録器に結合される。代替として、ユーザインタフェース３６は、動作可能であるように、復号化器３２に、又は記録器３４及び復号化器３２の両方に結合されることが可能である。例えば、ユーザインタフェース３２がオプションを表示するためにＴＶを利用するところの他の構成が又、可能である。ユーザインタフェース３２は又、ＴＶ及び他の関連機器を制御する多機能装置であることが可能である。本発明は、いずれの特定なパッケージ化された構成を必要とせず、又はそれらに依存しない。
【００２５】
１つ又はそれ以上のプログラム１８がユーザインタフェース３６を経由して記録するために選択されるとき、復号化器３２は、例えば、ケーブルトランスポート方法２４により通信チャネルのための多重化プログラムストリーム２２を受信する。記録されるプログラムの選択は、電子プログラムガイド（ＥＰＧ）を用いる種々の選択方法、映像プログラミングシステム（ＶＰＳ）を用いる種々の選択方法、テレテキストによりプログラムされたＶＣＲを用いる種々の方法、及び、記録器、復号化器、ＴＶ又は記録されるプログラムに対する他の装置の従来型のチューニング方法を含む、いずれの種々の方法においてなされることが可能である。
【００２６】
次に、プライベートストリーム２０は、多重分離方式で復号化器３２により多重化プログラムストリームから分離される。プライベートストリーム２０におけるデータパケットは復号化器３２により検出される。データパケットは、多重化プログラムストリーム２２に含まれるプログラムの開始及び終了を確認する。プログラムに関連するデータパケットは、プログラムが開始するとき及び修了するときを確認する。選択されたプログラムに関連するデータパケットが検出されるとき、欠けたプログラムコンテンツがないように、復号化器３２は記録を開始及び終了することを制御する。
【００２７】
図２を参照するに、多重化プログラムストリーム２２の例は、プログラムを分離するプライベートストリームからのデータパケットを有する３つの連続プログラムを有する。この例においては、多重化プログラムストリーム２２は、第１プログラムに関連するパケット４２、第１終了データパケット４４、第１開始データパケット４６、第２プログラムに関連するパケット４８、第２終了データパケット５０、第２開始データパケット５２及び第３プログラムに関連するパケット５４を有する。
【００２８】
図１及び２を参照するに、第１データパケット４４は第１プログラム４２に関連し、第１プログラム４２が終了したことを示している。時間ドメインにおいては、第１終了データパケット４４は、第１プログラム４２のコンテンツに関連するパケットに後続する。それ故、復号化器３２による第１終了データパケット４４の検出は、例えば、第１プログラム４２の記録を停止するために、記録器３４により用いられることが可能である。
【００２９】
第１開始データパケット４６は第２プログラム４８に関連し、第２プログラムがまさに開始しようとすることを示している。時間ドメインにおいては、第１回視データパケット４６は、第２プログラム４８のコンテンツに関連するパケットに先行する。それ故、検出器４４による第１開始データパケット４６の検出は、例えば、第２プログラム４８の記録を開始するために記録器３４により用いられることが可能である。
【００３０】
同様に、第２終了データパケット５０は第２プログラム４８に関連し、第２プログラム４８の記録を停止するために、用いられることが可能である。従って、第２データパケット５２は第３プログラム５４に関連し、例えば、第３プログラム５４の記録を開始するために用いられることが可能である。
【００３１】
複数のプログラム１８が多重化プログラムストリーム２２に同時に供給される場合、２つ又はそれ以上のプログラムからのデータパケットは、第１プログラム、第２プログラムおよび第３プログラム中に時間多重化される。各々のプログラムに関連する開始データパケットは、プログラムコンテンツに関連する初期データパケットに先行する。各々のプログラムに関連する終了データパケットは、プログラムコンテンツに関連する最終データパケットに後続する。従って、多重化プログラムストリーム２２内の複数のプログラムに対するプライベートストリーム２０からの開始及び停止データパケットの位置及びシーケンスは、多重化プログラムストリーム２２におけるプログラムコンテンツに対する初期及び最終データパケットの位置に基づいている。開始及び終了データパケットは、記録器の制御における付加的信頼及びパケットの位置付けに付加的フレキシビリティを与えるように特定のプログラムとそれらの開始及び終了データパケットを関連付ける情報を有することが可能である。
【００３２】
他の実施形態においては、同じチャネル／サブチャネルにおける１つのプログラムの終了及び他のプログラムの開始を識別する終了及び開始パケットは、オーバーヘッドを低減するために１つのパケットに結合されることが可能である。例えば、プラーベートストリームは、多重化プログラムストリームにおいて含まれ、そのプログラムのパケット識別子（ＰＩＤ）マッピングテーブル（ＰＭＴ）を規定される複数のプログラムの１つであることが可能である。この実施形態においては、開始及び終了パケットは、それらが関連するプログラムコンテンツに対するプログラム識別情報を有する必要がある。他方、プラーベートストリームは、プログラムコンテンツを担持するチャネル及び／又はサブチャネルから分離されたチャネル又はサブチャネルであることが可能である。この実施形態においては、開始及び終了パケットは、関連するプログラムコンテンツに対するチャネル／サブチャネル識別情報を有する必要がある。
【００３３】
他の実施形態においては、開始及び停止パケットは、第３パーティの申し込みサービスにより付加される。開始及び停止パケットは又、コマーシャルの前又は後、若しくは、プログラムノ他の予備部分に付加されることができる。
【００３４】
本発明は、上記において、例示としての実施形態に関連して説明したが、多くの変更、修正及び変形が可能であることを当業者が理解できることが明らかである。従って、上記の本発明の実施形態においては、本発明の主旨及び範囲を制限するのではなく、例示することが意図されている。特に、本発明は、同時提出の特許請求の範囲及び主旨の範囲内又はそれらの同等の範囲内に含まれる、上記の例示としての実施形態の変更、修正及び変形全てを包含することが意図されている。
【符号の説明】
【００３５】
１２  プログラム／サービスプロバイダサブシステム
１４  伝送サブシステム
１６  消費者環境
１８  ディジタルプログラム
２０  プライベートストリーム
２２  多重化プログラムストリーム
２４  ケーブル
２６  人工衛星
２８  地上波
３０  電話回線
３２  復号化器
３４  記録器
３６  ユーザインタフェース
４２  第１プログラムに関連するパケット
４４  第１終了データパケット
４６  第１開始データパケット
４８  第２プログラムに関連するパケット
５０  第２終了データパケット
５２  第２開始データパケット
５４  第３プログラムに関連するパケット
【図１】
2010283891.tif 000003
【図２】
2010283891.tif 000004